(57)【要約】本発明は、子供部屋又は遊び部屋（１２）の雰囲気を変えるため部屋を覆う予め印刷されたキャラクター及び性能を有する屋内テント（１０）に関する。この場合、使用者が、交換可能なテーマを創作できる。このルームテント（１０）は、ドアとして機能するファスナー付きのアクセスパネル（４２）を有する。このドアは、内側と外側とから機能する。外気及び太陽光を構造体に入れることを可能にするため、窓（６０）が設けられている。この窓（６０）は、取り付けられたカーテン（６２）を有する。眺めを見る入口又はアクセスする入口用に、開口部（５４）も設けられている。カーテン（５６）を設けてもよい。荷物ネット（６６）が、テントの内側の天井部分に取り付けられている。衣服，本，雑誌，タオルその他の物品のようなその他の物体が、収納され容易にアクセスされる。フック及びループで取り付け可能な額縁（７０）も設けられている。絵が転とのデザインと交換可能であるように、これらの額縁（７０）は設計されている。これらの額縁（７０）は、フック及びループファスナー手段によってテントの壁に固着される。
2005535811.tif 000002
【特許請求の範囲】
【請求項１】
ａ）柔軟な生地製の壁；
ｂ）ドアを構成するファスナー付アクセスパネル；
ｃ）外部にアクセスする第１開口部；
ｄ）窓を形成する第２開口部；
ｅ）部屋の天井ファスナーからルームテントを取り外し可能に吊るす手段を構成する外面に固着されたストラップ；
ｆ）ルームテントを床面ファスナーに取り外し可能に固定する手段を構成する低部に固着されたストラップ
から構成された子供部屋又は遊び部屋内の雰囲気を変更するために設計された部屋内の空間をほぼ覆う新規で斬新なルームテント。
【請求項２】
壁は、存在する壁天井から存在する床にかけて延在し、この場合、部屋の家具が、ルームテントによって覆われている請求項１に記載の装置。
【請求項３】
機器のコードが、ルームテント壁の背後を通過して存在する部屋のコンセントに至る請求項２に記載の装置。
【請求項４】
内壁が、装飾的なテーマを構成する模様で予め印刷されている請求項１に記載の装置。
【請求項５】
内壁が、全面着色されて装飾的なテーマを構成する請求項１に記載の装置。
【請求項６】
ルームテントの壁が、部屋の壁と壁との間に延在する天井を有するこの構造的な部屋の壁の高さ及び幅にほぼ一致する請求項１に記載の装置。
【請求項７】
ルームテントは、このルームテントの一体部分を形成する外部に位置決めされたチャネルを有し、この場合、テントポールが、支持なしに立っている構造体を形成するこれらのチャネルによって位置決めされ得る請求項１に記載の装置。
【請求項８】
ルームテントを形成する支持なしに立っている構造体は、構造的な部屋の床空間をほぼ覆い、存在する構造的な部屋天井にかけて垂直に延在する請求項７に記載の装置。
【請求項９】
テントポールは、雄端部と雌端部とを有する複数の部分から構成され、この場合、これらの端部が連結されてルームテントを吊るす構造を形成する請求項８に記載の装置。
【請求項１０】
テントポールは、貫通孔を有し、この場合、ルームテントを分解し収納するため、弾性的な保持部材が、一方の端部から他方の供給手段に延在する請求項９に記載の装置。
【請求項１１】
１つ又はそれより多いルームテントが、大きい構内を複数の個別のルームテントに分割するために使用され得る請求項１０に記載の装置。
【請求項１２】
支持なしに立っているルームテントは、大きい構内に個別のゲストルームを提供するために使用され得る請求項１０に記載の装置。
【請求項１３】
荷物ネットが、動かないように位置決めされたストラップによって内側の天井から吊るされている請求項１に記載の装置。
【請求項１４】
フック及びループ材が、内側の壁に固定され、この場合、対応するフック及びループ材を有する額縁が、取り外し可能にこの壁に取り付けられ得る請求項１に記載の装置。
【請求項１５】
フック及びループ材が、内側の底部に周囲的に取り付けられ、内側を複数のセクションに分割する壁に垂直に取り付けられ、この場合、フック及びループ材に対応する部材を有する１つ又はそれより多い生地製のパネルが、取り外し可能にこのフック及びループ材に取り付けられて内側の装飾様式を変更する請求項１に記載の装置。
【請求項１６】
第１開口部は、この第１開口部の垂直端部間に延在するルームテントの壁に固定された高い水平要素及び低い水平要素を有し、この場合、カーテンを形成する生地が、これらの要素に取り付けられ、開位置から閉位置までこれらの要素の上を移動する請求項１に記載の装置。
【請求項１７】
第２開口部は、この第２開口部の垂直端部間に延在するルームテントの壁に固定された高い水平要素及び低い水平要素を有し、この場合、カーテンを形成する生地が、これらの要素に取り付けられ、開位置から閉位置までこれらの要素の上を移動する請求項１に記載の装置。
【請求項１８】
装置は、内側に位置決めされたふくらまし式のベッドを有する請求項１に記載の装置。
【請求項１９】
ふくらまし式ベッドは、このふくらまし式ベッドに取り付けられた取り外し可能なファスナーを有する内側に位置決めされたアクセスパネルの後に隠されている請求項１８に記載の装置。
【請求項２０】
ふくらまし式ベッドは、ベッドに空気を入れるバルブを有する請求項１９に記載の装置。
【請求項２１】
ふくらまし式ベッドは、このふくらまし式ベッドの空気を抜くバルブを有する請求項１８に記載の装置。
【発明の詳細な説明】
【技術分野】
【０００１】
本発明は、主にテント、特に子供部屋又は遊び部屋の雰囲気を変えるため屋内で使用するように設計されたテントに関する。
【背景技術】
【０００２】
本発明の主な課題は、屋内使用に設計されたルームテントを提供することにある。
【発明の開示】
【発明が解決しようとする課題】
【０００３】
本発明のその他の課題は、天井の角に固定されたストラップによって吊るされているか又は互いに連結されているゴムロープタイプのテントポールの管状フレームによって支持されているテント状の構造を有する内側の使用に設計されたルームテントを提供することにある。これらのテントポールは、テント構造体の外部部分に設置された複数のポールポケットを通過する。
【０００４】
本発明のさらに別の課題は、ルームテント構造体の内側が好みのキャラクター，映画テーマやその他のテーマを表現し、ルームテントの雰囲気を変える希望に応じて可能な限り頻繁にその他のテーマによって交換され得、壁テント内に設置されたフック及びループファスナーに固着されたルームテントを提供することにある。
【０００５】
本発明のさらに別の課題は、内側と外側とからアクセス可能なスライドファスナー付きの大きい入口を有するルームテントを提供することにある。
【０００６】
本発明のさらに別の課題は、外気及び太陽光を構造体に選択的に入れることを可能にするために取り付けられたカーテン付きの窓を有するルームテントを提供することにある。
【０００７】
本発明のさらに別の課題は、眺めを見るか又はアクセスするための開口部及びカーテンを有するルームテントを提供することにある。
【０００８】
本発明のもう１つの課題は、テントの内側の天井部分に取り付けられた荷物ネットを有するルームテントを提供することにある。
【０００９】
以下に、本発明の実施の形態を図面に基づいて詳しく説明する。
【課題を解決するための手段】
【００１０】
この課題は、請求項１に記載のルームテントによって解決される。
【発明を実施するための最良の形態】
【００１１】
以下で、本発明の１つの実施の形態（及びこの実施の形態の幾つかのバリエーション）を詳しく説明する。しかしこの説明は、発明をこれらのバリエーションに限定するものではない。当業者は、その他の多くの実施の形態を同様に認識する。本発明の全範囲を規定するため、特許請求の範囲を添付する。
【００１２】
図１は、使用中の本発明の説明図である。本発明のルームテント１０は、家の部屋１２の中で組み立てるために設計されている。主なテント構造体１０は、互いに連結しているゴムロープタイプのテントポール３４の管状フレームによって支持される。これらのテントポール３４は、このテント構造体の外側部分に設置された複数のポールポケット３２を通過する。ルームテント１０は、床を有さずかつ電気配線のために外側からルームテント１０の内側に入ることが可能である。ルームテント１０の構造の内部は、好みのキャラクター，映画のテーマやその他のテーマを表現する様々なデザインを提供し、希望に応じて頻繁に交換可能であり、フック及びループによってルームテントの壁に取り付けられる。大きい入口４２が、提供されかつ右側ファスナー４４と左側ファスナー４４とから形成される。このファスナー４４は、ドアの底中心から開けられて上方向に引っ張られる。このファスナー４４は、内側と外側とからアクセス可能である。外気及び太陽光を構造体に入れることを可能にするため、窓が提供される。眺めを見るか又はアクセスするため、カーテン付きの開口部５４も提供されている。
【００１３】
図２は、本発明の前面図である。部屋１２内に組み立てられたルームテント１０の前面が示されている。ルームテント１０は、天井１４の全ての４つの角及び床から部屋１２の全体を覆い、かつ床のない４つの壁テント構造体から構成される。ルームテント１０は、天井ストラップ５２を提供することによってファスナー２６に固定され得る。本発明のドア部分４２は、多種多様な形やキャラクターでデザインされかつ提供され得る。さらにルームテント１０は、外部に位置決めされたテントポール３４付きのチャネル３２を有する支持なしに立っている構造体でもよい。テントポール３４は、チャネル３２を通過する。
【００１４】
図３は、本発明の説明図である。ルームテント１０の大きい入口４２が、構造体内に設置すべき大きい家具２４の移動を簡単に可能にする。ルームテント１０は、使用者の用途に合わせて組み立てられ得る。居間や寝室の家具２４が、使用者の快適のためにルームテント１０の内側に容易に備え付けられる。この装置１０は、子供部屋内に組み立ててもよいし又は訪問するゲスト用の個室として使用されてもよい。この個室は、時々要求されるプライバシーを提供できる。
【００１５】
図４は、本発明を下から見た図である。部屋内に組み立てられたルームテント１０が、下から見て示されている。このルームテント１０は、天井１４の全ての４つの角及び壁１６から部屋１２の全体を覆い、かつ床のない４つの壁テント構造体から構成される。統一されたテーマが、ルームテントの内壁３０上に予め印刷され得かつルームテント１０の雰囲気を変えるためその他のテーマに交換され得る。あらゆるテーマの予め印刷されたパネルが、ルームテント１０の壁の内側の周囲に設置されたフック及びループファスナー６４に取り付けられ得る。荷物ネット６６，荷物ネットファスナー６８，額縁７０，窓６０，窓カーテン６２，アクセスポート５４及びアクセスポートカーテン５６も示されている。
【００１６】
図５は、本発明の上から見た図である。部屋１２内に組み立てられたルームテントが、上から見て示されている。このルームテント１０は、天井１４の全ての４つの角及び壁１６から部屋１２の全体を覆い、かつ床のない４つの壁テント構造体から構成され、かつクローゼットに対するアクセス用の、暖炉を見るための又は子供のおもちゃ箱のようなその他の物にアクセスするための入口開口部１８を有し、かつファスナー４４付きの大きいドア４２，天井リボン５２及び角リボン５０も有する。
【００１７】
図６は、本発明の統一されたテーマの内側の図である。ルームテント１０の内側が、内壁３０上に表示されたディズニーキャラクターの統一されたテーマを有する。このテーマは、新しいテーマ４８を内壁３０に上張りすることによって変更され得る。この新しいテーマ４８は、壁部分の周囲に沿って位置決めされたフック及びループ材料ファスナー６４を使用して取り付けられる。ファスナー６８及びフックによってルームテント１０の天井から吊るされた荷物ネット６６並びに壁から掛けられているループ額縁７０も示されている。これらの物品は、どんな配置や内側の家具２４でも使用され得る。額縁７０は、家具の装飾様式や使用者の好みに合わせて変更され得る。これらの額縁７０は、別の額縁７０をテントルーム１０の内側の壁上のフック及びループ材に固定することによって変更され得る。
【００１８】
図７は、本発明の内側のカット図である。この図は、テントの天井及びフックから吊るされた荷物ネット６６及び構造体の内側部分３０の壁から吊るされているループ額縁７０を有する居間として組み立てられたルームテント１０を示す。これらの物品は、どんな配置や使用される内側の家具でも使用され得る。額縁７０は、部屋の装飾様式や使用者の好みに合わせて変更され得る。
【００１９】
図８は、本発明の左側の図である。部屋１２内に組み立てられたルームテントの左側が示されている。このルームテント１０は、天井１４及び壁の全ての４つの角から部屋１２の全体を覆い、かつ床のない４つの壁テント構造体を構成する。ルームテント１０のカーテン６２付きの窓６０が、多種多様な形及び大きさでデザインされ提供され得、かつ存在する部屋１２にわたって位置決めされ得る。
【００２０】
図９は、本発明の背面図である。部屋１２内に組み立てられたルームテント１０の背面が示されている。このルームテントは、天井１４の全ての４つの角及び壁１６から部屋１２の全体を覆い、かつ床のない４つの壁テント構造体から構成される。天井ストラップ５２及び角ストラップ５０は、テントを組み立てるべき部屋の中にこのルームテント１０を取り付けるため使用される。追加の窓をこのルームテント１０に設けてもよい。
【００２１】
図１０は、本発明の右側を示す。部屋１２内に組み立てられたルームテント１０の右側が示されている。このルームテントは、天井１４の全ての４つの角及び壁１６から部屋１２の全体を覆い、床のない４つの壁テント構造体から構成され、かつクローゼットに対するアクセス用の、暖炉を見るための又は子供のおもちゃ箱のようなその他の物にアクセスするための入口開口部５４を有する。
【００２２】
図１１は、本発明の詳細図である。ルームテント１０の入口５４が詳しく示されている。この入口５４は、暖炉の火のような興味のある眺めに向くように設計されている。この入口５４は、太陽光がルームテント１０の内側部分に入ることも可能にする。この入口５４は、外気が構造体に流れ込むことも可能にしてこの構造体を涼しく又は暖かく維持しかつ空気がよどむことを阻止する。カーテン５６が、入口５４の内側部分に設けられていて、ロープレール５８に沿って摺動させることによって開け閉めされ得る。カーテンが、このロープレール５８に掛かっている。これらのロープレール５８は、カーテン５６の上部分及び下部分に設けられている。ロープが、縁チャネルを通過し、かつカーテンの両端部でテント構造体３０に取り付けられている。
【００２３】
図１２は、本発明の部分図である。ルームテント１０のファスナーハンドル４６を有する入口ファスナー４４の一部が示されている。これらのファスナー４４は、内側と外側とからアクセスできるダブルスライド式である。これらのファスナーは、入口フラップの底中心部に位置されて上向きに開く。
【００２４】
図１３は、スリーブを付けたテントポール３４の拡大部分図である。本発明のテントポール３４の連結部分が詳しく示されている。このテントポール機構は、ゴムロープコード４０によって互いに連結された複数のポールから構成される。このコードは、収納のために選択的に分離するまでは転とポール４の雄側３６と雌側３６とを引き寄せてスリーブを付けた部材を一緒に保持する。
【００２５】
図１４は、フック及びループファスナー７２を使用する額縁７０の側面図である。テントルーム１０の取り外し可能な額縁７０の側面が示されている。この額縁７０は、フレーム構造体から構成される。このフレーム構造体は、絵を交換可能に飾り、かつフレームの後部分に取り付けられたフック及びループファスナー７２を有する。フック及びループファスナー７２は、テント構造体３０に取り付けられた対応するフック及びループファスナー７２に接合する。
【００２６】
図１５は、追加の要素を伴った統一されたテーマを有するテントの内側の図である。壁３０を装飾する統一されたディズニーキャラクターを有するルームテント１０の内側が示されている。テーマ３０は、壁パネル４８を周囲に位置決めされたフック及びループファスナー６４に固定することによって変更され得る。ふくらまし式の壁の形態の追加の要素を有する本発明が示されている。ベッドが、内部構造体に取り付けられていてかつファスナー７８を有するフラップ７６の後に収納されている。
【００２７】
図１６は、図１６は、統一されたテーマ及び追加の要素を有する本発明の内側の図である。ふくらまし式の形態の追加の要素を伴った統一されたテーマを有するルームテント１０が示されている。このルームテント１０は、ディズニーキャラクターの統一されたテーマを本発明の内側の壁に有する。ふくらまし式のベッド７４の形態の追加の要素が示されている。ベッドを取り出すため、４つのスナップが開けられ、フラップが敷設される。空気入れバルブ８０が、このベッドをふくらますために使用される。このベッドの空気を抜くため、空気抜きバルブ８２が解除されて空気が抜かれる。
【図面の簡単な説明】
【００２８】
【図１】使用中の本発明の説明図である。
【図２】本発明の前面図である。
【図３】本発明の説明図である。
【図４】本発明の下から見た図である。
【図５】本発明を上から見た図である。
【図６】本発明の統一されたテーマの内部の図である。
【図７】本発明の内部のカット図である。
【図８】本発明の左側の図である。
【図９】本発明の後側の図である。
【図１０】本発明の右側の図である。
【図１１】本発明の詳細図である。
【図１２】本発明の部分図である。
【図１３】スリーブを付けたテントポールの拡大部分図である。
【図１４】フック及びファスナーを使用する額縁の側面図である。
【図１５】追加要素を付加した統一されたテーマを有するテントの説明図である。
【図１６】統一されたテーマ及び追加要素を有する本発明の内部の図である。
【図１７】統一されたテーマ及び追加要素を有する本発明の内部の図である。
【符号の説明】
【００２９】
１０  ルームテント
１２  部屋
１４  部屋天井
１６  部屋壁
２０  部屋窓
２２  部屋入口
２４  部屋家具
２６  部屋天井ファスナー
３０  生地
３２  テントポールチャネル
３４  テントポール
３６  テントポール雄コネクタ
３８  テントポール雌コネクタ
４０  テントポール保持部材
４２  テントドア
４４  テントドアファスナー
４６  テントドアファスナーハンドル
５０  コーナーストラップ
５４  アクセス入口
５６  アクセス入口カーテン
５８  アクセス入口カーテンファスナー
６０  ルームテント窓
６２  ルームテント窓カーテン
６４  パネルファスナー
６６  荷物ネット
６８  荷物ネットファスナー
７０  額縁
７２  額縁ファスナー
７４  ふくらまし式壁ベッド
７６  ふくらまし式壁ベッドアクセスパネル
７８  ふくらまし式壁ベッドアクセスパネルファスナ
８０  ふくらまし式壁ベッド空気入れバルブ
８２  ふくらまし式壁ベッド空気抜きバルブ
【図１】
2005535811.tif 000003
【図２】
2005535811.tif 000004
【図３】
2005535811.tif 000005
【図４】
2005535811.tif 000006
【図５】
2005535811.tif 000007
【図６】
2005535811.tif 000008
【図７】
2005535811.tif 000009
【図８】
2005535811.tif 000010
【図９】
2005535811.tif 000011
【図１０】
2005535811.tif 000012
【図１１】
2005535811.tif 000013
【図１２】
2005535811.tif 000014
【図１３】
2005535811.tif 000015
【図１４】
2005535811.tif 000016
【図１５】
2005535811.tif 000017
【図１６】
2005535811.tif 000018
【図１７】
2005535811.tif 000019
【国際調査報告】
2005535811.tif 000020
2005535811.tif 000021